(57)【特許請求の範囲】
【請求項１】
原稿を搬送する原稿搬送手段と、
前記原稿搬送手段が搬送する原稿を読み取って、前記原稿の画像を生成する原稿読取手段と、
前記画像を記録媒体上に描画するプロッタ部と、
前記プロッタ部の異常を検出する異常検出手段と、
前記異常検出手段が前記プロッタ部の異常を検出し、当該異常が前記画像に影響を与える異常である場合に、前記原稿読取手段に対する電源供給を遮断する電源制御部と、
前記異常検出手段が前記プロッタ部の異常を検出し、当該異常が前記画像に影響を与える異常である場合に、前記原稿搬送手段による原稿の搬送速度を、前記原稿読取手段による原稿の読み取りを行うときの搬送速度よりも速くする原稿搬送速度切り換え部と、を備えることを特徴とする画像形成装置。
【請求項２】
原稿を搬送する原稿搬送手段と、
前記原稿搬送手段が搬送する原稿を読み取って、前記原稿の画像を生成する原稿読取手段と、
前記画像を記録媒体上に描画するプロッタ部と、
前記プロッタ部の異常を検出する異常検出手段と、
前記異常検出手段が前記プロッタ部の異常を検出した場合に、前記原稿読取手段に対する電源供給を遮断する電源制御部と、
前記原稿読取手段に対する電源供給が遮断されて読み取りが中断した原稿について、既に読み取りが終了した第１の部分の搬送方向における長さと、未だ読み取りが終了していない第２の部分の搬送方向における長さとを比較する比較手段と、
前記異常検出手段が前記プロッタ部の異常を検出した場合に、前記原稿搬送手段による原稿の搬送速度を、前記原稿読取手段による原稿の読み取りを行うときの搬送速度よりも速くする原稿搬送速度切り換え部と、
前記比較手段の比較結果として、前記第１の部分の搬送方向における長さが前記第２の部分の搬送方向における長さより長い場合は、前記原稿搬送手段による原稿の搬送方向を前記原稿読取手段による原稿の読み取りを行うときの搬送方向と同一方向とし、前記第１の部分の搬送方向における長さが前記第２の部分の搬送方向における長さより短い場合は、前記原稿搬送手段による原稿の搬送方向が前記原稿読取手段による原稿の読み取りを行うときの搬送方向と逆方向とするように、前記原稿搬送手段による原稿の搬送方向を制御する搬送方向制御部と、を備えることを特徴とする画像形成装置。
【請求項３】
前記電源制御部は、前記異常検出手段が前記プロッタ部の異常を検出した場合に、前記プロッタ部に対する電源供給も遮断することを特徴とする請求項１または２に記載の画像形成装置。
【請求項４】
前記原稿読取手段による原稿の読み取りを行うときの前記原稿搬送手段による原稿の搬送速度を、原稿の読み取り条件に応じて設定する原稿搬送速度設定部をさらに備え、
前記原稿搬送速度切り換え部は、前記異常検出手段が前記プロッタ部の異常を検出した場合に、前記原稿搬送手段による原稿の搬送速度を、前記原稿搬送速度設定部が設定した搬送速度よりも速くすることを特徴とする請求項１〜３のいずれか一項に記載の画像形成装置。
【請求項５】
前記原稿読取手段に対する電源供給状態を独立して切り換えるスイッチをさらに備え、
前記電源制御部は、前記異常検出手段が前記プロッタ部の異常を検出した場合に、前記スイッチをオフすることで前記原稿読取手段に対する電源供給を遮断することを特徴とする請求項１〜４のいずれか一項に記載の画像形成装置。
【請求項６】
スキャナ装置とプロッタ装置とが通信可能に接続された画像形成システムであって、
前記スキャナ装置は、
原稿を搬送する原稿搬送手段と、
前記原稿搬送手段が搬送する原稿を読み取って、前記原稿の画像を生成する原稿読取手段と、
前記画像を前記画像形成装置に送信する第１の送信手段と、
前記画像形成装置から送信された制御指令を受信する第１の受信手段と、を備え、
前記プロッタ装置は、
前記スキャナ装置から送信された前記画像を受信する第２の受信手段と、
前記画像を記録媒体上に描画するプロッタ部と、
前記プロッタ部の異常を検出する異常検出手段と、
前記異常検出手段が前記プロッタ部の異常を検出し、当該異常が前記画像に影響を与える異常である場合に、前記原稿読取手段に対する電源供給を遮断する電源制御部と、
前記異常検出手段が前記プロッタ部の異常を検出し、当該異常が前記画像に影響を与える異常である場合に、前記原稿搬送手段による原稿の搬送速度を、前記原稿読取手段による原稿の読み取りを行うときの搬送速度よりも速くする制御指令を生成する原稿搬送速度切り換え部と、
前記制御指令を前記スキャナ装置に送信する第２の送信手段と、を備えることを特徴とする画像形成システム。
【請求項７】
スキャナ装置とプロッタ装置とが通信可能に接続された画像形成システムであって、
前記スキャナ装置は、
原稿を搬送する原稿搬送手段と、
前記原稿搬送手段が搬送する原稿を読み取って、前記原稿の画像を生成する原稿読取手段と、
前記画像を前記画像形成装置に送信する第１の送信手段と、
前記画像形成装置から送信された異常信号を受信する第１の受信手段と、
前記第１の受信手段が前記異常信号を受信した場合に、前記原稿読取手段に対する電源供給を遮断する電源制御部と、
前記第１の受信手段が前記異常信号を受信した場合に、前記原稿搬送手段による原稿の搬送速度を、前記原稿読取手段による原稿の読み取りを行うときの搬送速度よりも速くする原稿搬送速度切り換え部と、を備え、
前記プロッタ装置は、
前記スキャナ装置から送信された前記画像を受信する第２の受信手段と、
前記画像を記録媒体上に描画するプロッタ部と、
前記プロッタ部の異常を検出する異常検出手段と、
前記異常検出手段が前記プロッタ部の異常を検出し、当該異常が前記画像に影響を与える異常である場合に、前記異常信号を前記スキャナ装置に送信する第２の送信手段と、を備えることを特徴とする画像形成システム。
【請求項８】
原稿を搬送する原稿搬送手段と、前記原稿搬送手段が搬送する原稿を読み取って、前記原稿の画像を生成する原稿読取手段と、前記画像を記録媒体上に描画するプロッタ部と、前記プロッタ部の異常を検出する異常検出手段と、制御手段と、を備えた画像形成装置において実行される制御プログラムであって、
前記異常検出手段が前記プロッタ部の異常を検出し、当該異常が前記画像に影響を与える異常である場合に、前記原稿読取手段に対する電源供給を遮断する機能と、
前記異常検出手段が前記プロッタ部の異常を検出し、当該異常が前記画像に影響を与える異常である場合に、前記原稿搬送手段による原稿の搬送速度を、前記原稿読取手段による原稿の読み取りを行うときの搬送速度よりも速くする機能と、を前記制御手段に実現させることを特徴とする制御プログラム。
【発明の詳細な説明】
【技術分野】
【０００１】
本発明は、画像形成装置、画像形成システムおよび制御プログラムに関する。
【背景技術】
【０００２】
デジタル複写機などの画像形成装置は、オフィス環境などにおいて欠くことのできない機器として広く普及している。近年、経費削減や環境保護の観点から、このような画像形成装置が消費する電力を削減する取り組みが盛んに行われるようになってきている。
【０００３】
例えば、特許文献１には、異常状態が発生すると、その異常状態発生時の動作状況情報をＮＶＲＡＭに記憶して、消費電力を削減する異常時用省エネルギモードに移行するとともに、異常状態を解除する異常状態解除操作の有無を監視して、異常状態解除操作が行われると、ＮＶＲＡＭの動作状況情報に基づいて異常時用省エネルギモードから復帰するようにした画像形成装置が開示されている。
【発明の概要】
【発明が解決しようとする課題】
【０００４】
しかしながら、特許文献１に記載の画像形成装置は、用紙ジャムや用紙切れ、トナー切れなどのプロッタ部の異常が発生すると、異常時用省エネルギモードに移行してエンジン制御部全体に対する通電を遮断し、プロッタ部だけでなくスキャナ部も停止させて、消費電力の削減を図るようにしている。このため、スキャナ部が原稿の読み取りを行っている間にプロッタ部に異常が発生した場合には、スキャナ部における原稿の搬送が途中で止まってしまい、オペレータが例えばジャムの除去など、プロッタ部における異常状態を解除した後に、途中で搬送が止まった原稿も取り除かなければならず、特に大判サイズの長尺原稿の読み取りを行っていた場合などには、この原稿を取り除く作業に手間がかかるといった問題があった。
【０００５】
本発明は、上記に鑑みてなされたものであって、消費電力の削減を図りながら原稿を取り除く手間を省くことができる画像形成装置、画像形成システムおよび制御プログラムを提供することを目的としている。
【課題を解決するための手段】
【０００６】
上述した課題を解決し、目的を達成するために、本発明にかかる画像形成装置は、原稿を搬送する原稿搬送手段と、前記原稿搬送手段が搬送する原稿を読み取って、前記原稿の画像を生成する原稿読取手段と、前記画像を記録媒体上に描画するプロッタ部と、前記プロッタ部の異常を検出する異常検出手段と、前記異常検出手段が前記プロッタ部の異常を検出し、当該異常が前記画像に影響を与える異常である場合に、前記原稿読取手段に対する電源供給を遮断する電源制御部と、前記異常検出手段が前記プロッタ部の異常を検出し、当該異常が前記画像に影響を与える異常である場合に、前記原稿搬送手段による原稿の搬送速度を、前記原稿読取手段による原稿の読み取りを行うときの搬送速度よりも速くする原稿搬送速度切り換え部と、を備えることを特徴とする。
【０００７】
また、本発明にかかる画像形成システムは、スキャナ装置とプロッタ装置とが通信可能に接続された画像形成システムであって、前記スキャナ装置は、原稿を搬送する原稿搬送手段と、前記原稿搬送手段が搬送する原稿を読み取って、前記原稿の画像を生成する原稿読取手段と、前記画像を前記画像形成装置に送信する第１の送信手段と、前記画像形成装置から送信された制御指令を受信する第１の受信手段と、を備え、前記プロッタ装置は、前記スキャナ装置から送信された前記画像を受信する第２の受信手段と、前記画像を記録媒体上に描画するプロッタ部と、前記プロッタ部の異常を検出する異常検出手段と、前記異常検出手段が前記プロッタ部の異常を検出し、当該異常が前記画像に影響を与える異常である場合に、前記原稿読取手段に対する電源供給を遮断する電源制御部と、前記異常検出手段が前記プロッタ部の異常を検出し、当該異常が前記画像に影響を与える異常である場合に、前記原稿搬送手段による原稿の搬送速度を、前記原稿読取手段による原稿の読み取りを行うときの搬送速度よりも速くする制御指令を生成する原稿搬送速度切り換え部と、前記制御指令を前記スキャナ装置に送信する第２の送信手段と、を備えることを特徴とする。
【０００８】
また、本発明にかかる画像形成システムは、スキャナ装置とプロッタ装置とが通信可能に接続された画像形成システムであって、前記スキャナ装置は、原稿を搬送する原稿搬送手段と、前記原稿搬送手段が搬送する原稿を読み取って、前記原稿の画像を生成する原稿読取手段と、前記画像を前記画像形成装置に送信する第１の送信手段と、前記画像形成装置から送信された異常信号を受信する第１の受信手段と、前記第１の受信手段が前記異常信号を受信した場合に、前記原稿読取手段に対する電源供給を遮断する電源制御部と、前記第１の受信手段が前記異常信号を受信した場合に、前記原稿搬送手段による原稿の搬送速度を、前記原稿読取手段による原稿の読み取りを行うときの搬送速度よりも速くする原稿搬送速度切り換え部と、を備え、前記プロッタ装置は、前記スキャナ装置から送信された前記画像を受信する第２の受信手段と、前記画像を記録媒体上に描画するプロッタ部と、前記プロッタ部の異常を検出する異常検出手段と、前記異常検出手段が前記プロッタ部の異常を検出し、当該異常が前記画像に影響を与える異常である場合に、前記異常信号を前記スキャナ装置に送信する第２の送信手段と、を備えることを特徴とする。
【０００９】
また、本発明にかかる制御プログラムは、原稿を搬送する原稿搬送手段と、前記原稿搬送手段が搬送する原稿を読み取って、前記原稿の画像を生成する原稿読取手段と、前記画像を記録媒体上に描画するプロッタ部と、前記プロッタ部の異常を検出する異常検出手段と、制御手段と、を備えた画像形成装置において実行される制御プログラムであって、前記異常検出手段が前記プロッタ部の異常を検出し、当該異常が前記画像に影響を与える異常である場合に、前記原稿読取手段に対する電源供給を遮断する機能と、前記異常検出手段が前記プロッタ部の異常を検出し、当該異常が前記画像に影響を与える異常である場合に、前記原稿搬送手段による原稿の搬送速度を、前記原稿読取手段による原稿の読み取りを行うときの搬送速度よりも速くする機能と、を前記制御手段に実現させることを特徴とする。
【発明の効果】
【００１０】
本発明によれば、プロッタ部の異常を検出した場合に、原稿読取手段に対する電源供給を遮断するとともに、原稿搬送手段による原稿の搬送速度を、原稿読取手段による原稿の読み取りを行うときの搬送速度よりも速くするので、消費電力の削減を図りながら原稿を取り除く手間を省くことができるという効果を奏する。
【図面の簡単な説明】
【００１１】
【図１】図１は、実施の形態にかかるデジタル複写機の全体構成を模式的に示す側面図である。
【図２】図２は、実施の形態にかかるデジタル複写機のスキャナ部を上方から見下ろした様子を模式的に表す平面図である。
【図３】図３は、実施の形態にかかるデジタル複写機の電気的な回路構成を示すブロック図である。
【図４】図４は、第１の実施の形態におけるシステム制御部の機能構成を示した機能ブロック図である。
【図５】図５は、原稿の読み取り条件と、原稿搬送速度設定部が設定する搬送速度との対応関係の一例を示す図である。
【図６】図６は、原稿の読み取り時における搬送速度と、切り換え後の搬送速度との対応関係の一例を示す図である。
【図７】図７は、実施の形態にかかるデジタル複写機における動作モードの遷移を示す状態遷移図である。
【図８】図８は、動作モードごとのデジタル複写機の各部に対する電源供給状態を纏めた図である。
【図９】図９は、プロッタ異常スキャナモードにおける原稿の搬送速度を、原稿読み取り時の搬送速度と同じ速度とした場合の原稿搬送モータによる消費電力と、原稿読み取り時の搬送速度よりも速い速度に切り換えた場合の原稿搬送モータによる消費電力とを対比して示す図である。
【図１０】図１０は、第１の実施の形態にかかるデジタル複写機において、スキャナモードによる原稿の読み取りと第１プリントモードによるプリント出力とを同時並行で実行する場合の動作の概要を示すフローチャートである。
【図１１】図１１は、第２の実施の形態におけるシステム制御部の機能構成を示した機能ブロック図である。
【図１２】図１２は、読み取りを中断した原稿の排出長および未挿入長を算出する方法の一例を説明する図である。
【図１３】図１３は、第２の実施の形態にかかるデジタル複写機において、スキャナモードによる原稿の読み取りと第１プリントモードによるプリント出力とを同時並行で実行する場合の動作の概要を示すフローチャートである。
【発明を実施するための形態】
【００１２】
以下に添付図面を参照して、この発明にかかる画像形成装置、画像形成システムおよび制御プログラムの最良な実施の形態を詳細に説明する。以下に示す実施の形態は、シートスルー方式のスキャナ部で原稿の画像を読み取り、プロッタ部で原稿の画像をロール紙に印刷する大判対応型のデジタル複写機に対して本発明を適用した例である。
【００１３】
（第１の実施の形態）
図１は、本実施の形態にかかるデジタル複写機の全体構成を模式的に示す側面図である。本実施の形態にかかるデジタル複写機は、図１に示すように、プロッタ部１とスキャナ部２とを備えている。
【００１４】
プロッタ部１には、給紙部１０が設けられている。給紙部１０には、複数のロール紙（用紙）Ｐと、用紙Ｐを搬送する給紙ローラ１１ａ，１１ｂ，１２ａ，１２ｂ、１３と、これら給紙ローラ１１ａ，１１ｂ，１２ａ，１２ｂ，１３を駆動する給紙モータ１４が配置されている。用紙Ｐは、給紙ローラ１１ａ，１１ｂ，１２ａ，１２ｂ，１３で搬送された後、レジストモータ１６で駆動されるレジストローラ１５によりプラテン板１７まで搬送される。
【００１５】
プラテン板１７には複数の貫通孔が設けられている。また、プラテン板１７の下部には、プラテン板１７上の用紙Ｐを吸引する図示しない吸引ファンが配置されている。レジストローラ１５によりプラテン板１７まで搬送された用紙Ｐは、プラテン板１７に設けられた複数の貫通孔を介して吸引ファンによりプラテン板１７上に吸いつけられて、その姿勢が保持される。
【００１６】
プラテン板１７の上部には、インクを吐出するためのヘッド１８を搭載したキャリッジ１９が配置されている。キャリッジ１９は、用紙Ｐの搬送方向と直交する主走査方向（用紙Ｐの幅方向）に沿って往復移動する。また、キャリッジ１９が停止している間に、レジストローラ１５により用紙Ｐがヘッド１８の印字ラインに相当する送り量分だけ搬送方向（副走査方向）に送られる。そして、キャリッジ１９が、スキャナ部２から出力される画像データに基づいて、主走査方向に移動しながらヘッド１８からプラテン板１７上の用紙Ｐに向かってインクを吐出することで、用紙Ｐに画像を描画する。
【００１７】
画像が描画された用紙Ｐは、それぞれ対をなす排紙ローラ２０ａ，２０ｂおよび２１ａ，２１ｂにより所定の位置まで搬送され、カッタ２２でカットされて排出口２３から排出される。なお、用紙Ｐの搬送経路には、図示を省略するが、搬送される用紙Ｐの状態を監視するための複数のセンサが設置されている。ジャムなどの用紙Ｐの搬送に関わる異常は、例えば、用紙Ｐの搬送中にこれら複数のセンサの状態を監視し、これらのセンサが本来あるべき反応を示さない場合に異常が発生したと判定することができる。
【００１８】
スキャナ部２は、原稿台３０に載置された原稿Ｇを原稿挿入口３１からスキャナ部２の内部に取り込み、原稿搬送モータ３３により駆動される原稿搬送ローラ３２ａ，３２ｂによって原稿Ｇを搬送しながら、その搬送経路に設けられた密着イメージセンサ（以下、ＣＩＳという。）３４により原稿の画像を読み取るシートスルー方式の画像読取装置である。
【００１９】
原稿搬送ローラ３２ａは原稿Ｇの搬送経路におけるＣＩＳ３４よりも上流側に配置され、原稿搬送ローラ３２ｂは原稿Ｇの搬送経路におけるＣＩＳ３４よりも下流側に配置されている。また、ＣＩＳ３４の画像読取面と対向する位置には、搬送される原稿ＧをＣＩＳ３４の画像読取面に密着させる原稿押さえ板３５が配置されている。
【００２０】
原稿挿入口３１の近傍には、挿入された原稿Ｇを検出する原稿挿入センサＳｅ０と、原稿Ｇのサイズを検出する複数の原稿サイズセンサＳｅ１〜Ｓｅ４が設けられている。原稿挿入センサＳｅ０は、図２に示すように、デジタル複写機の正面から見て略中央に配置され、原稿サイズセンサＳｅ１〜Ｓｅ４は、原稿挿入センサＳｅ０からデジタル複写機の側面方向に向かって間隔をあけて順次配列されている。なお、図２は、スキャナ部２を上方から見下ろした様子を模式的に表す平面図である。
【００２１】
また、原稿Ｇの搬送経路における原稿挿入センサＳｅ０の下流側には、原稿Ｇの読み取りタイミングの基準となる信号を出力する原稿レジストセンサＳｅ５が配置され、原稿Ｇをスキャナ部２の外部に排出する原稿排出口３６の近傍には、原稿Ｇが排出されたことを検出する原稿排出センサＳｅ６が配置されている。
【００２２】
また、ＣＩＳ３４の画像読取面を開閉する原稿カバー３７には、この原稿カバー３７の開閉を検出するカバー開閉センサＳｅ７が設けられている。また、原稿カバー３７と一体に設けられた操作部７の近傍には、原稿Ｇの搬送を緊急停止させる緊急停止キーＳｅ８が設けられている。なお、デジタル複写機のメインスイッチ８は、プロッタ部１を内蔵する筐体の外側に配置されている。
【００２３】
原稿台３０に載置された原稿Ｇは、原稿挿入口３１からスキャナ部２の内部に取り込まれ、原稿搬送モータ３３により駆動される原稿搬送ローラ３２ａ，３２ｂによってＣＩＳ３４の画像読取面と対向する位置を通過するように搬送される。そして、原稿ＧがＣＩＳ３４の画像読取面と対向する位置を通過する過程で、原稿Ｇの画像がＣＩＳ３４によって光学的に読み取られる。画像の読み取りが終了した原稿Ｇは、原稿排出口３６から排出される。
【００２４】
このとき、原稿Ｇの挿入は原稿挿入センサＳｅ０により検出され、原稿Ｇの排出は原稿排出センサＳｅ６により検出される。また、原稿サイズセンサＳｅ１〜Ｓｅ４により原稿Ｇのサイズが検出される。また、原稿Ｇの先端が原稿レジストセンサＳｅ５の位置に到達すると、原稿レジストセンサＳｅ５からＣＩＳ３４による原稿Ｇの読み取りタイミングの基準となる信号が出力される。また、原稿Ｇの読み取りを行っている間に発生するジャムなどの異常は、例えば、これらの各センサが本来あるべき反応を示さないことによって検知することができる。
【００２５】
図３は、本実施の形態にかかるデジタル複写機の電気的な回路構成を示すブロック図であり、特にデジタル複写機の各部に対する電源の供給経路を示した図である。図中の実線の矢印が各部に対する電源の供給経路を示している。
【００２６】
本実施の形態にかかるデジタル複写機は、図３に示すように、上述したプロッタ部１およびスキャナ部２に加え、システム制御部３と、システム制御部３により制御されるＩ／Ｏ部４と、外部Ｉ／Ｆ部５と、電源部６と、操作部７およびメインスイッチ８を備えている。
【００２７】
システム制御部３は、ＣＰＵ３０１およびメモリ３０２を備えたマイクロコンピュータにより構成され、ＣＰＵ３０１がメモリ３０２を利用しながら、デジタル複写機としての基本処理プログラムを実行することによって、プロッタ部１やスキャナ部２、Ｉ／Ｏ部４、外部Ｉ／Ｆ部５などのデジタル複写機の各部の動作を制御する。また、特に本実施の形態にかかるデジタル複写機では、プロッタ部１に異常が検出された場合のスキャナ部２の動作を制御するための制御プログラムがシステム制御部３のメモリ３０２に格納されている。ＣＰＵ３０１がこの制御プログラムを実行することによって、システム制御部３には、図４に示すように、原稿搬送速度設定部３１１と、プロッタ異常判定部３１２と、影響有無判定部３１３と、電源制御部３１４と、原稿搬送速度切り換え部３１５の各機能構成が実現される。
【００２８】
原稿搬送速度設定部３１１は、スキャナ部２による原稿Ｇの読み取り条件に応じて、原稿Ｇの読み取り時における搬送速度を設定する。図５は、原稿Ｇの読み取り条件と、原稿搬送速度設定部３１１が設定する搬送速度との対応関係の一例を示す図である。図５に示すように、原稿搬送速度設定部３１１は、一例として、カラー画像の読み取りの場合はモノクロ画像の読み取りの場合よりも原稿Ｇの搬送速度を遅く設定し、読み取り倍率が高い場合は低い場合よりも原稿Ｇの搬送速度を遅く設定する。
【００２９】
プロッタ異常判定部３１２は、プロッタ部１の動作中にプロッタ部１に異常が発生したか否かを判定する。プロッタ部１の異常としては、用紙Ｐの搬送に関わる異常や、書込画像のデータ処理を実行する後述のＡＳＩＣ（Application  Specific  Integrated  Circuit）に関する異常などがある。ＡＳＩＣは、用紙Ｐの種類等に応じて定まる書き込み有効期間を表す信号に基づいて書き込み画像のデータ処理を実行するが、書き込みタイミングになっても書き込み有効期間を表す信号が確定しない場合や、書き込み有効期間を表す信号が一定時間経過してもオフしない場合などが、ＡＳＩＣに関する異常に該当する。また、プロッタ部１の動作中にＡＳＩＣが所定の時間応答しないような場合も、ＡＳＩＣに関する異常に該当する。
【００３０】
プロッタ異常判定部３１２は、用紙Ｐの搬送に関わる異常については、例えば、上述した用紙Ｐの搬送経路に設けられた複数のセンサの状態を監視し、これらのセンサが本来あるべき反応を示さない場合に異常が発生したと判定する。また、プロッタ異常判定部３１２は、ＡＳＩＣに関する異常については、書き込み有効期間を表す信号が確定しない、あるいは書き込み有効期間を表す信号がオフしないといった異常を知らせる信号をＡＳＩＣから取得することによって、異常が発生したと判定する。また、プロッタ異常判定部３１２は、プロッタ部１の動作中にＡＳＩＣとの間で所定の時間以上通信できない場合に、ＡＳＩＣに異常が発生したと判定する。
【００３１】
影響有無判定部３１３は、プロッタ異常判定部３１２によりプロッタ部１に異常が発生したと判定された場合に、そのプロッタ部１の異常が、スキャナ部２での読み取りを通じて生成される原稿Ｇの画像（以下、読取画像という。）に影響を与えるか否かを判定する。具体的には、影響有無判定部３１３は、例えば、プロッタ異常判定部３１２が異常発生と判定したプロッタ部１の異常が、上述したＡＳＩＣに関する異常である場合に、プロッタ部１の異常が読取画像に影響を与えると判定する。
【００３２】
電源制御部３１４は、電源部６に設けられた切り換えスイッチ６０２やスキャナ部２に設けられた切り換えスイッチ２３３，２４４、プロッタ部１に設けられた切り換えスイッチ１３０に電源切り換え信号（図３中の破線で示す矢印）を送り、これら切り換えスイッチ６０２，２３３，２４４，１３０のオン／オフを制御することで、デジタル複写機の各部に対する電源供給を制御する。この電源制御部３１４は、特に、プロッタ異常判定部３１２によりプロッタ部１に異常が発生したと判定されるとプロッタ部１に対する電源供給を遮断し、影響有無判定部３１３によりプロッタ部１の異常が読取画像に影響を与えると判定された場合には、さらに、スキャナ部２のうち、後述するスキャナ画像処理部２１０に対する電源供給を遮断し、後述するスキャナ制御部２２０のみに電源供給が行われるようにする。
【００３３】
原稿搬送速度切り換え部３１５は、プロッタ異常判定部３１２によりプロッタ部１に異常が発生したと判定され、影響有無判定部３１３によりプロッタ部１の異常が読取画像に影響を与えると判定された場合に、原稿Ｇの搬送速度を、読み取り時における搬送速度よりも速い速度に切り換える。図６は、原稿Ｇの読み取り時における搬送速度と、切り換え後の搬送速度との対応関係の一例を示す図である。図６に示すように、原稿搬送速度設定部３１１は、プロッタ異常判定部３１２によりプロッタ部１に異常が発生したと判定され、影響有無判定部３１３によりプロッタ部１の異常が読取画像に影響を与えると判定された場合に、原稿Ｇの搬送速度を、原稿搬送速度設定部３１１により設定された速度よりも速い速度、例えば１８０ｍｍ／ｓに切り換える。なお、このときの原稿Ｇの搬送速度は、原稿Ｇに損傷を与えない程度の速度であって、原稿搬送速度設定部３１１により設定された原稿Ｇの読み取り時より速い速度であればよく、任意に変更することが可能である。
【００３４】
図３に示す外部Ｉ／Ｆ部５には、外部装置、例えばパーソナルコンピュータやサーバ等が接続されている。外部Ｉ／Ｆ部５は、システム制御部３の制御のもとで外部装置と通信し、外部装置との間で画像データの送受信を行う。
【００３５】
電源部６は、外部商用電源９を整流および電圧調整して必要な電圧・電流を生成するＡＣ／ＤＣコンバータ６０１と、システム制御部３の電源制御部３１４からの電源切り換え信号によってオン／オフが切り換えられる切り換えスイッチ６０２を備える。電源部６は、切り換えスイッチ６０２がオンされている場合に、ＡＣ／ＤＣコンバータ６０１で生成された直流電源をプロッタ部１、スキャナ部２、システム制御部３、外部Ｉ／Ｆ部５、操作部７の各部に電源を供給し、切り換えスイッチ６０２がオフされると、上記各部への電源供給を遮断する。また、電源部６は、切り換えスイッチ６０２がオフされている場合であっても、システム制御部３の一部（少なくともＣＰＵ３０１）、外部Ｉ／Ｆ部５、操作部７の一部（主電源キー）に対しては、切り換えスイッチ６０２を介さずに、ＡＣ／ＤＣコンバータ６０１で生成された直流電源を直接供給する。
【００３６】
操作部７は、使用者がデジタル複写機を使用する際に操作する主電源キーや、使用者が直接コマンドを入力するためのキー（テンキー、コピースタートキー、モード設定キー等）を備えている。この操作部７から入力されたコマンドの処理は、システム制御部３で実行される。
【００３７】
メインスイッチ８は、デジタル複写機の電源部６と外部商用電源９との接続／遮断を切り換えるスイッチである。
【００３８】
プロッタ部１は、インクを吐出して画像を書き込む上述したヘッド１８と、システム制御部３による制御のもとで、ヘッド１８により書き込む画像のデータを処理する画像書込処理部１１０と、画像書込処理部１１０から出力された書込画像データを用紙Ｐに書き込むためにヘッド１８を制御する書込制御部１２０を備える。画像書込処理部１１０には、書込画像のデータ処理を実行するＡＳＩＣ１１１および処理に必要なデータを格納するメモリ１１２が設けられている。
【００３９】
スキャナ部２は、回路構成として、スキャナ画像処理部２１０（特許請求の範囲に記載の「原稿読取手段」に相当）と、スキャナ制御部２２０を備える。
【００４０】
スキャナ画像処理部２１０は、スキャナ部２のうち、原稿Ｇの画像の読み取りおよび読み取った画像の処理を行う部分であり、原稿Ｇの画像を光学的に読み取る上述したＣＩＳ３４と、読取制御部２３０と、読取画像処理部２４０を備える。なお、ＣＩＳ３４の照明にはＬＥＤが好適である。
【００４１】
読取制御部２３０には、ＡＦＥ（アナログフロントエンド）２３１およびメモリ２３２が設けられており、ＣＩＳ３４によって読み取られたアナログ画像データをＡＦＥ２３１でデジタル画像データに変換して読取画像処理部２４０に出力する。また、読取制御部２３０には、システム制御部３の電源制御部３１４からの電源切り換え信号によってオン／オフが切り換えられる切り換えスイッチ２３３が設けられており、電源部６から読取制御部２３０内のＡＦＥ２３１およびメモリ２３２、ＣＩＳ３４への電源の供給と遮断を、この切り換えスイッチ２３３のオン／オフによって個別に切り換えられるようになっている。
【００４２】
読取画像処理部２４０には、ＡＳＩＣ２４１、メモリ２４２、ＦＰＧＡ（Field  Programmable  Gate  Array）２４３などが設けられており、ＣＩＳ３４によって読み取られた画像に対して所定の画像処理を実行して、読取画像としてプロッタ部１に出力する。また、読取画像処理部２４０にも、読取制御部２３０に設けられた切り換えスイッチ２３３と同様に、システム制御部３の電源制御部３１４からの電源切り換え信号によってオン／オフが切り換えられる切り換えスイッチ２４４が設けられており、電源部６から読取画像処理部２４０内のＡＳＩＣ２４１、メモリ２４２、ＦＰＧＡ２４３への電源の供給と遮断を、この切り換えスイッチ２４４のオン／オフによって個別に切り換えられるようになっている。
【００４３】
スキャナ制御部２２０は、スキャナ部２のうち、原稿Ｇの搬送制御や異常検知などを行う部分であり、原稿Ｇを搬送するための上述した原稿搬送モータ３３（特許請求の範囲に記載の「原稿搬送手段」に相当）と、この原稿搬送モータ３３の駆動制御を行うモータドライバ２２１と、スキャナセンサ部２２２を備える。スキャナセンサ部２２２は、上述した原稿挿入センサＳｅ０、原稿サイズセンサＳｅ１〜Ｓｅ４、原稿レジストセンサＳｅ５、原稿排出センサＳｅ６、カバー開閉センサＳｅ７および緊急停止キーＳｅ８の総称である。
【００４４】
本実施の形態にかかるデジタル複写機では、以上のように、スキャナ部２のスキャナ画像処理部２１０に、システム制御部３からの電源切り換え信号によってオン／オフが切り換えられる切り換えスイッチ２３３，２４４を設け、この切り換えスイッチ２３３，２４４のオン／オフによって、スキャナ画像処理部２１０に含まれる各部に対する電源供給を、スキャナ制御部２２０から切り離して制御できるようにしている。つまり、電源部６に設けた切り換えスイッチ６０２がオンされていれば、スキャナ部２のスキャナ制御部２２０に対しては常に電源が供給されるが、スキャナ画像処理部２１０に対しては、切り換えスイッチ２３３，２４４がオンであれば電源が供給され、切り換えスイッチ２３３，２４４がオフされれば電源供給が遮断されることになる。
【００４５】
なお、図３に例示した回路構成では、スキャナ画像処理部２１０の読取制御部２３０と読取画像処理部２４０とにそれぞれ切り換えスイッチ２３３，２４４を設けるようにしているが、これら切り換えスイッチ２３３，２４４を統合して１つのスイッチとしてもよい。また、これら切り換えスイッチ２３３，２４４は、スキャナ画像処理部２１０に対する電源供給を個別に（つまり、スキャナ制御部２２０から切り離して）切り換えるように設けられていればよく、スキャナ部２の外部、例えば電源部６などに設けるようにしてもよい。
【００４６】
また、本実施の形態にかかるデジタル複写機では、以上のように、プロッタ部２に、システム制御部３からの電源切り換え信号によってオン／オフが切り換えられる切り換えスイッチ１３０を設け、この切り換えスイッチ１３０のオン／オフによって、プロッタ部１に対する電源供給を個別に制御できるようにしている。つまり、電源部６に設けた切り換えスイッチ６０２がオンされていれば、スキャナ部２やシステム制御部３、操作部７などに対して電源が供給されるが、プロッタ部１に対しては、さらに切り換えスイッチ１３０がオンであれば電源が供給され、切り換えスイッチ１３０がオフされれば電源供給が遮断されることになる。
【００４７】
図７は、本実施の形態にかかるデジタル複写機における動作モードの遷移を示す状態遷移図であり、図８は、動作モードごとのデジタル複写機の各部に対する電源供給状態を纏めた図である。以下、図７および図８を参照しながら、本実施の形態にかかるデジタル複写機の動作モードの遷移と各部に対する電源供給の切り換え手順の概要について説明する。
【００４８】
電源コードが接続され、メインスイッチ８がオフの状態となっているプラグインモード（Ｍ１００）では、デジタル複写機の全てに対して電源（ＡＣ電源）の供給が遮断されている。この状態でメインスイッチ８がオンされると、デジタル複写機の各部に電源が供給されて、スキャナ部２の初期設定が実行される。
【００４９】
スキャナ部２の初期設定が終了すると、スキャナ画像処理部２１０に設けられた切り換えスイッチ２３３，２４４がオンからオフに切り換えられる。これにより、スキャナ画像処理部２１０に対する電源供給が遮断され、コマンド待受状態であるスタンバイモード（Ｍ１０１）に移行する。
【００５０】
スタンバイモード（Ｍ１０１）において、コマンドが何ら入力されることなく予め設定された時間が経過すると、自動的に起動トリガ待受状態であるスリープモード（Ｍ１０２）に移行する。このスリープモード（Ｍ１０２）では、システム制御部３の一部（ＣＰＵ３０１）と外部Ｉ／Ｆ部５と操作部７の一部（主電源キー）に対してのみ電源が供給され、その他の電源は、電源部６に設けられた切り換えスイッチ６０２がオフされることで、遮断される。
【００５１】
スリープモード（Ｍ１０２）において、操作部７の主電源キーが押下されると、スタンバイモード（Ｍ１０１）へ移行する。また、スリープモード（Ｍ１０２）において、外部Ｉ／Ｆ部５がパーソナルコンピュータ等の外部装置から印刷コマンドを受信すると、第２プリントモード（Ｍ１０４）に移行して印刷が行われる。この第２プリントモード（Ｍ１０４）では、プロッタ部１、システム制御部３、外部Ｉ／Ｆ部５に対しては電源が供給され、スキャナ部２に対する電源供給は遮断される。また、操作部７については主電源キーに対してのみ電源が供給され、それ以外の電源供給は遮断される。
【００５２】
第２プリントモード（Ｍ１０４）において、プリントのコマンドが終了するとスリープモード（Ｍ１０２）に自動的に移行する。
【００５３】
また、スタンバイモード（Ｍ１０１）において、スキャナ部２の原稿挿入センサＳｅ０により原稿Ｇの挿入が検出されると、スキャナ画像処理部２１０に設けられた切り換えスイッチ２３３，２４４がオフからオンに切り換えられて、スキャナ画像処理部２１０に対して電源が供給される。そして、スキャナ部２に対する初期設定が実行され、初期設定が終了すると、原稿Ｇの読み取りを行うスキャナモード（Ｍ１０５）に移行する。このスキャナモード（Ｍ１０５）では、デジタル複写機の全てに対して電源が供給される。
【００５４】
また、スタンバイモード（Ｍ１０１）においてコピーの実行を指示するコマンドが入力された場合には、スキャナモード（Ｍ１０５）で読み取りが行われた画像データの処理が終了した段階で逐次印刷を実行する第１プリントモード（Ｍ１０３）に移行する。この場合、原稿Ｇの読み取りおよび画像処理が終了した段階で、スキャナ画像処理部２１０に設けられた切り換えスイッチ２３３，２４４がオンからオフに切り換えられ、スキャナ画像処理部２１０に対する電源供給が遮断される。そして、第１プリントモード（Ｍ１０３）でのプリント出力が実行され、プリント出力が終了したらスタンバイモード（Ｍ１０１）に移行する。
【００５５】
また、スキャナモード（Ｍ１０５）において、原稿Ｇの読み取りを行っている間にスキャナセンサ部２２２によりジャムなどの何らかの異常が検知された場合には、スキャナ画像処理部２１０に設けられた切り換えスイッチ２３３，２４４がオンからオフに切り換えられてスキャナ画像処理部２１０に対する電源供給が遮断され、スタンバイモード（Ｍ１０１）に移行する。
【００５６】
本実施の形態にかかるデジタル複写機では、スキャナモード（Ｍ１０５）による原稿Ｇの読み取りと、第１プリントモード（Ｍ１０３）によるプリント出力とを同時並行で実行することが可能である。スキャナ部２で複数の原稿Ｇの読み取りおよび画像処理を行いながら、読み取りおよび画像処理が終了した原稿Ｇの読取画像から、プロッタ部１でプリント出力する場合がこれに該当する。この場合、第１プリントモード（Ｍ１０３）でのプリント出力中であっても、原稿Ｇの読み取りおよび画像処理も継続されているため、スキャナ画像処理部２１０に対する電源供給は遮断されない。
【００５７】
この状態で、プロッタ部１に異常が発生すると、プロッタ部１に設けられた切り換えスイッチ１３０がオンからオフに切り換えられて、プロッタ部１に対する電源供給が遮断され、第１プリントモード（Ｍ１０３）によるプリント出力を終了する。そして、プロッタ部１の異常が読取画像に影響を与えるか否かが判定され、プロッタ部１の異常が読取画像に影響を与えないと判定された場合は、スキャナモード（Ｍ１０５）のみの動作モードに移行する。このときのスキャナモード（Ｍ１０５）は、プロッタ部１に対する電源供給は遮断した状態となる。
【００５８】
一方、プロッタ部１の異常が読取画像に影響を与えると判定された場合は、プロッタ異常スキャナモード（Ｍ１０６）に遷移する。プロッタ異常スキャナモード（Ｍ１０６）では、スキャナ画像処理部２１０に設けられた切り換えスイッチ２３３，２４４がオンからオフに切り換えられ、スキャナ画像処理部２１０に対する電源供給が遮断される。また、プロッタ異常スキャナモード（Ｍ１０６）では、原稿搬送モータ３３による原稿Ｇの搬送速度が、スキャナモード（Ｍ１０５）での読み取り時における搬送速度よりも速い速度に切り換えられる。ここでの原稿Ｇの搬送は、読み取りを中断した原稿Ｇを排出させるための搬送であり、搬送速度を速い速度に切り換えることで、原稿Ｇを素早く排出できるようにしている。読み取りを中断した原稿Ｇの排出が完了すると、スリープモード（Ｍ１０２）に移行する。
【００５９】
以上のように、本実施の形態にかかるデジタル複写機では、スキャナモード（Ｍ１０５）による原稿Ｇの読み取りと、第１プリントモード（Ｍ１０３）によるプリント出力とを同時並行で実行している場合に、プロッタ部１に異常が発生し、そのプロッタ部１の異常が読取画像に影響を与えると判定されると、プロッタ異常スキャナモード（Ｍ１０６）に移行して、プロッタ部１に対する電源供給を遮断するだけでなく、スキャナ部２のスキャナ画像処理部２１０に対する電源供給を遮断するようにしている。したがって、消費電力を大幅に削減することができる。また、プロッタ異常スキャナモード（Ｍ１０６）では、スキャナ制御部２２０に対する電源供給は継続されるので、原稿搬送モータ３３による原稿Ｇの搬送を継続させることができ、読み取りを中断した原稿Ｇを、人手によらず外部に排出することができる。
【００６０】
また、プロッタ異常スキャナモード（Ｍ１０６）における原稿Ｇの搬送速度は、スキャナモード（Ｍ１０５）における原稿Ｇの読み取り時の搬送速度よりも速い速度に切り換えられるので、読み取りを中断した原稿Ｇを素早く排出できるとともに、原稿Ｇを排出する際の原稿搬送モータ３３による消費電力も低減させることができる。
【００６１】
図９は、プロッタ異常スキャナモード（Ｍ１０６）における原稿Ｇの搬送速度を、スキャナモード（Ｍ１０５）における原稿Ｇの読み取り時の搬送速度と同じ速度とした場合の原稿搬送モータ３３による消費電力と、プロッタ異常スキャナモード（Ｍ１０６）における原稿Ｇの搬送速度を、スキャナモード（Ｍ１０５）における原稿Ｇの読み取り時の搬送速度よりも速い速度に切り換えた場合の原稿搬送モータ３３による消費電力とを対比して示す図である。なお、図９に示す例では、スキャナモード（Ｍ１０５）における原稿Ｇの読み取り時の搬送速度が８０ｍｍ／ｓであり、プロッタ部１に異常が発生した時点で、原稿Ｇの読み取りが終了していない部分の搬送方向における長さが５４０ｍｍである場合を想定し、プロッタ異常スキャナモード（Ｍ１０６）における原稿Ｇの搬送速度が８０ｍｍ／ｓのままである場合を図９（ａ）のグラフで示し、プロッタ異常スキャナモード（Ｍ１０６）における原稿Ｇの搬送速度を１８０ｍｍ／ｓに切り換えた場合を図９（ｂ）のグラフで示している。
【００６２】
図９（ａ）に示すように、プロッタ異常スキャナモード（Ｍ１０６）における原稿Ｇの搬送速度を８０ｍｍ／ｓのままとした場合、原稿搬送モータ３３により消費される平均電力は１１．６Ｗであり、原稿Ｇの排出が完了するまでの搬送時間は６．７５ｓとなる。したがって、原稿Ｇの排出に要する原稿搬送モータ３３の消費電力量（積算電力）は、７８．３Ｗｓとなる。
【００６３】
一方、プロッタ異常スキャナモード（Ｍ１０６）における原稿Ｇの搬送速度を１８０ｍｍ／ｓに切り換えた場合は、図９（ｂ）に示すように、原稿搬送モータ３３により消費される平均電力は１４．７Ｗであり、原稿Ｇの排出が完了するまでの搬送時間は３．０ｓとなる。したがって、原稿Ｇの排出に要する原稿搬送モータ３３の消費電力量（積算電力）は４４．１Ｗｓとなり、原稿Ｇの搬送速度が８０ｍｍ／ｓの場合と比較して、原稿搬送モータ３３による消費電力を低減できることが分かる。
【００６４】
次に、本実施の形態にかかるデジタル複写機において、スキャナモード（Ｍ１０５）による原稿Ｇの読み取りと第１プリントモード（Ｍ１０３）によるプリント出力とを同時並行で実行する場合の動作の概要について、特にスキャナ部２に関わる動作を中心に、図１０のフローチャートを参照して説明する。なお、以下の動作は、システム制御部３による制御のもとで実行される。
【００６５】
スタンバイモード（Ｍ１０１）において、オペレータがコピーの実行を指示するコマンドを入力して原稿Ｇをスキャナ部２に挿入し、原稿挿入センサＳｅ０により原稿Ｇの挿入が検知されると、スキャナ画像処理部２１０に対して電源が供給され、スキャナモード（Ｍ１０５）に移行して、スキャナ部２による原稿Ｇの読み取りが開始される（ステップＳ１０１）。このとき、システム制御部３の原稿搬送速度設定部３１１により、原稿Ｇの読み取り条件に応じて、原稿搬送モータ３３による原稿Ｇの搬送速度が設定される。
【００６６】
次に、スキャナ部２により原稿Ｇが読み取られて読取画像が生成されると、第１プリントモード（Ｍ１０３）の動作が開始され、プロッタ部１によるプリント出力が行われる（ステップＳ１０２）。プロッタ部１によるプリント出力中は、システム制御部３のプロッタ異常判定部３１２によって、プロッタ部１に異常が発生したか否かが判定される（ステップＳ１０３）。
【００６７】
ここで、プロッタ部１に異常が発生したと判定された場合には（ステップＳ１０３：Ｙｅｓ）、操作部７に異常状態（例えば、用紙ジャムの発生などの異常の内容と異常発生箇所）が表示されるとともに（ステップＳ１０４）、システム制御部３の電源制御部３１４によって、プロッタ部１に対する電源供給が遮断され、プロッタ部１によるプリント出力が停止される（ステップＳ１０５）。
【００６８】
次に、システム制御部３の影響有無判定部３１３により、プロッタ部１の異常が読取画像に影響を与えるか否かが判定され（ステップＳ１０６）、プロッタ部１の異常が読取画像に影響を与えないと判定された場合には（ステップＳ１０６：Ｎｏ）、プロッタ部１によるプリント出力が停止された状態で、スキャナ部２による原稿Ｇの読み取りが継続される（ステップＳ１０７）。また、上記ステップＳ１０３の判定において、プロッタ部１に異常が発生していないと判定された場合（ステップＳ１０３：Ｎｏ）もステップＳ１０７に進み、スキャナ部２による原稿Ｇの読み取りが継続される。ただし、この場合には、プロッタ部１によるプリント出力も継続されている。
【００６９】
その後、オペレータがスキャナ部２にセットした全ての原稿Ｇの排出が終了したか否かが判定される（ステップＳ１０８）。全ての原稿Ｇの排出が終了したか否かは、例えば、原稿挿入センサＳｅ０と原稿排出センサＳｅ６の双方がオフの状態となったか否かによって判定することができる。すなわち、原稿Ｇが排出されると原稿排出センサＳｅ６がオンからオフに切り替わるが、次の原稿Ｇがセットされている場合には、先の原稿Ｇが排出されて原稿排出センサＳｅ６がオフになる前に、次の原稿Ｇが挿入されて原稿挿入センサＳｅ０がオンする。したがって、原稿挿入センサＳｅ０と原稿排出センサＳｅ６の双方がオフの状態となるのは、最後の原稿Ｇが排出された場合だけであり、原稿挿入センサＳｅ０と原稿排出センサＳｅ６の双方がオフの状態となったか否かにより、オペレータがスキャナ部２にセットした全ての原稿Ｇの排出が終了したか否かを判定することができる。
【００７０】
ここで、オペレータがスキャナ部２にセットした全ての原稿Ｇの排出が終了していないと判定された場合には（ステップＳ１０８：Ｎｏ）、ステップＳ１０７に戻ってスキャナ部２による原稿Ｇの読み取りが継続される。一方、オペレータがスキャナ部２にセットした全ての原稿Ｇの排出が終了したと判定された場合には（ステップＳ１０８：Ｙｅｓ）、システム制御部３の電源制御部３１４によって、スキャナ画像処理部２１０に対する電源供給が遮断され（ステップＳ１０９）、一連の処理が終了する。
【００７１】
上記ステップＳ１０６の判定において、プロッタ部１の異常が読取画像に影響を与えると判定された場合には（ステップＳ１０６：Ｙｅｓ）、まず、システム制御部３の電源制御部３１４によって、スキャナ画像処理部２１０に対する電源供給が遮断される（ステップＳ１１０）。そして、システム制御部３の原稿搬送速度切り換え部３１５により、原稿搬送モータ３３による原稿Ｇの搬送速度が、原稿搬送速度設定部３１１によって設定された読み取り時の搬送速度よりも速い速度に切り換えられる（ステップＳ１１１）。そして、切り換え後の搬送速度で読み取りが中断した原稿Ｇが搬送され、排出される（原稿排出センサＳｅ６オフ）と、原稿搬送モータ３３の駆動が停止されて、一連の処理が終了する。
【００７２】
以上、具体的な例を挙げながら詳細に説明したように、本実施の形態にかかるデジタル複写機によれば、プロッタ部１に異常が発生した場合に、プロッタ部１だけでなくスキャナ部２のスキャナ画像処理部２１０に対する電源供給を遮断するので、消費電力を大幅に削減することができるとともに、原稿搬送モータ３３による搬送速度を読み取り時よりも速い速度に切り換えて原稿Ｇの搬送を継続するので、読み取りを中断した原稿Ｇを、人手によらず素早く外部に排出することができ、原稿Ｇを取り除く手間を省くことができる。また、原稿Ｇの排出時の搬送速度を速めることで、原稿Ｇの排出に要する消費電力も低減させることができる。
【００７３】
また、本実施の形態にかかるデジタル複写機では、上記のようなスキャナ部２に対する制御を、プロッタ部１に異常が発生し、且つ、そのプロッタ部１の異常が読取画像に影響を与えると判定された場合のみ実施するようにしているので、プロッタ部１に異常が発生してもそのプロッタ部１の異常が読取画像に影響を与えない場合にはスキャナ部２による原稿Ｇの読み取り動作を継続させることができ、スキャナ部２の不要な動作停止を回避することができる。
【００７４】
（第２の実施の形態）
次に、第２の実施の形態に係るデジタル複写機について説明する。本実施の形態にかかるデジタル複写機は、プロッタ部１に異常が発生して、スキャナ部２のスキャナ画像処理部２１０に対する電源供給を遮断した際に、読み取りを中断した原稿Ｇの排出長（既に読み取りが終了した第１の部分の搬送方向における長さ）と、読み取りを中断した原稿Ｇの未挿入長（未だ読み取りが終了していない第２の部分の搬送方向における長さ）とを比較し、排出長が未挿入長よりも長い場合は、読み取りを中断した原稿Ｇを読み取り時と同一方向に搬送して外部に排出し、排出長が未挿入長よりも短い場合は、読み取りを中断した原稿Ｇを読み取り時とは逆方向に搬送して外部に排出するようにしたものである。なお、デジタル複写機の基本的な構成および処理の概要は上述した第１の実施の形態と同様であるため、以下、第１の実施の形態と同様の部分については同一の符号を付して重複した説明を省略し、本実施の形態において特徴的な部分についてのみ説明する。
【００７５】
図１１は、本実施の形態におけるシステム制御部３’の機能構成を示した機能ブロック図である。この図１１に示す機能構成は、第１の実施の形態と同様に、ＣＰＵ３０１がメモリ３０２に格納されている制御プログラムを実行することによってシステム制御部３’の機能として実現されるものであり、第１の実施の形態におけるシステム制御部３の機能構成（図４参照）に対して、比較部３１６と、搬送方向制御部３１７とが付加されている。
【００７６】
比較部３１６は、プロッタ部１に異常が発生して、スキャナ部２のスキャナ画像処理部２１０に対する電源供給を遮断した際に、読み取りを中断した原稿Ｇについて、その時点で既に読み取りが終了した部分の搬送方向における長さである排出長Ｌ１と、その時点で未だ読み取りが終了していない部分の長さである未挿入長Ｌ２とをそれぞれ算出し、これら排出長Ｌ１と未挿入長Ｌ２とを比較する。
【００７７】
図１２は、比較部３１６が、上記の排出長Ｌ１および未挿入長Ｌ２を算出する方法の一例を説明する図である。
【００７８】
排出長Ｌ１は、原稿Ｇの読み取り時における搬送速度と、原稿排出センサＳｅ６がオフからオンに切り替わってから原稿Ｇの読み取りが中断されるまでの経過時間とに基づいて算出することができる。すなわち、原稿排出センサＳｅ６は、原稿Ｇの先端が当該原稿排出センサＳｅ６の位置を通過したときにオフからオンに切り替わるので、その後の読み取り中断までの間の経過時間に搬送速度を乗算した値が、排出長Ｌ１となる。例えば、原稿Ｇの読み取り時における搬送速度が８０ｍｍ／ｓ、上記の経過時間が３．８６ｓであったとすると、排出長Ｌ１は、３．８６ｓ×８０ｍｍ／ｓ＝３０８．８ｍｍとなる。
【００７９】
また、未挿入長Ｌ２は、読み取りを行っている原稿Ｇの全長Ｌ０と、原稿挿入センサＳｅ０から原稿排出センサＳｅ６までの距離Ｌ３と、排出長Ｌ１とから算出することができる。原稿Ｇの全長Ｌ０は、操作部７を用いたオペレータの設定入力により取得することができ、原稿挿入センサＳｅ０から原稿排出センサＳｅ６までの距離Ｌ３は、デジタル複写機に固有の既知の値である。また、排出長Ｌ１は上記のように算出できる。原稿Ｇの全長Ｌ０から、原稿挿入センサＳｅ０から原稿排出センサＳｅ６までの距離Ｌ３と、排出長Ｌ１とを除算した値が、未挿入長Ｌ２となる。例えば、原稿Ｇの全長Ｌ０が１１８９ｍｍ、原稿挿入センサＳｅ０から原稿排出センサＳｅ６までの距離Ｌ３が１４２．５ｍｍ、排出長Ｌ１が３０８．８ｍｍであるとすると、未挿入長Ｌ２は、１１８９ｍｍ−１４２．５ｍｍ−３０８．８ｍｍ＝７３７．７ｍｍとなる。
【００８０】
搬送方向制御部３１７は、比較部３１６による排出長Ｌ１と未挿入長Ｌ２との比較の結果に基づいて、読み取りが中断した原稿Ｇを排出する際の搬送方向を制御する。すなわち、比較部３１６による比較の結果、排出長Ｌ１が未挿入長Ｌ２よりも長い場合には、搬送方向制御部３１７は、読み取りが中断した原稿Ｇが、読み取り時と同一方向に搬送されて外部に排出されるように、原稿搬送モータ３３による原稿Ｇの搬送方向を制御する。一方、比較部３１６による比較の結果、排出長Ｌ１が未挿入長Ｌ２よりも短い場合には、搬送方向制御部３１７は、読み取りが中断した原稿Ｇが、読み取り時とは逆方向に搬送されて外部に排出されるように、原稿搬送モータ３３による原稿Ｇの搬送方向を制御する。
【００８１】
図１２を用いて説明した例の場合、排出長Ｌ１は３０８．８ｍｍ、未挿入長Ｌ２は７３７．７ｍｍであり、排出長Ｌ１が未挿入長Ｌ２よりも短い。したがって、搬送方向制御部３１７は、読み取りが中断した原稿Ｇが、読み取り時とは逆方向に搬送されて外部に排出されるように、原稿搬送モータ３３による原稿Ｇの搬送方向を制御する。
【００８２】
図１３は、本実施の形態にかかるデジタル複写機において、スキャナモード（Ｍ１０５）による原稿Ｇの読み取りと第１プリントモード（Ｍ１０３）によるプリント出力とを同時並行で実行する場合の動作の概要を示すフローチャートである。なお、図１３のフローチャートにおいて、ステップＳ２０１〜ステップＳ２１０までの処理は、図１０のフローチャートにおけるステップＳ１０１〜ステップＳ１１０までの処理と同様であるため、説明を省略する。
【００８３】
本実施の形態にかかるデジタル複写機では、ステップＳ２１０において、システム制御部３’の電源制御部３１４によりスキャナ画像処理部２１０に対する電源供給が遮断されると、システム制御部３’の比較部３１６により、原稿Ｇの既に読み取りが終了した部分の搬送方向における長さである排出長Ｌ１と、未だ読み取りが終了していない部分の長さである未挿入長Ｌ２とが算出され、比較される（ステップＳ２１１）。
【００８４】
ここで、排出長Ｌ１が未挿入長Ｌ２よりも長い場合は（ステップＳ２１１：Ｙｅｓ）、システム制御部３’の搬送方向制御部３１７により、原稿搬送モータ３３による原稿Ｇの搬送方向が、読み取り時と同一方向に設定されるとともに、システム制御部３’の原稿搬送速度切り換え部３１５により、原稿搬送モータ３３による原稿Ｇの搬送速度が、原稿搬送速度設定部３１１によって設定された読み取り時の搬送速度よりも速い速度に切り換えられる（ステップＳ２１２）。そして、切り換え後の搬送速度で読み取りが中断した原稿Ｇが読み取り時と同一方向に搬送される。そして、原稿Ｇが排出される（原稿排出センサＳｅ６オフ）と、原稿搬送モータ３３の駆動が停止されて、一連の処理が終了する。
【００８５】
一方、排出長Ｌ１が未挿入長Ｌ２よりも短い場合は（ステップＳ２１１：Ｎｏ）、システム制御部３’の搬送方向制御部３１７により、原稿搬送モータ３３による原稿Ｇの搬送方向が、読み取り時とは逆方向に設定されるとともに、システム制御部３’の原稿搬送速度切り換え部３１５により、原稿搬送モータ３３による原稿Ｇの搬送速度が、原稿搬送速度設定部３１１によって設定された読み取り時の搬送速度よりも速い速度に切り換えられる（ステップＳ２１３）。そして、切り換え後の搬送速度で読み取りが中断した原稿Ｇが読み取り時とは逆方向に搬送される。そして、原稿Ｇが排出される（原稿排出センサＳｅ６オフ）と、原稿搬送モータ３３の駆動が停止されて、一連の処理が終了する。
【００８６】
以上のように、本実施の形態にかかるデジタル複写機では、プロッタ部１に異常が発生して、スキャナ部２のスキャナ画像処理部２１０に対する電源供給を遮断した際に、読み取りを中断した原稿Ｇの排出長Ｌ１と、読み取りを中断した原稿Ｇの未挿入長Ｌ２とを比較し、排出長Ｌ１が未挿入長Ｌ２よりも長い場合は、読み取りを中断した原稿Ｇを読み取り時と同一方向に搬送して外部に排出し、排出長Ｌ１が未挿入長Ｌ２よりも短い場合は、読み取りを中断した原稿Ｇを読み取り時とは逆方向に搬送して外部に排出するようにしている。したがって、本実施の形態にかかるデジタル複写機によれば、読み取りを中断した原稿Ｇの排出を、第１の実施の形態よりも効率的に行うことができ、消費電力のさらなる削減を図ることができる。
【００８７】
なお、上述した第１および第２の実施の形態にかかるデジタル複写機において、プロッタ部１に異常が検出された場合のスキャナ部２の上述した動作制御は、例えば、システム制御部３（システム制御部３’）のＣＰＵ３０１が、予め組み込まれて提供される制御プログラムを実行することによって実現される。また、第１および第２の実施の形態にかかるデジタル複写機で実行される制御プログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００８８】
さらに、第１および第２の実施の形態にかかるデジタル複写機で実行される制御プログラムを、インターネット等のネットワークに接続されたコンピュータ上に格納し、ネットワーク経由でダウンロードさせることにより提供するように構成してもよい。また、第１および第２の実施の形態にかかるデジタル複写機で実行される制御プログラムを、インターネット等のネットワーク経由で提供または配布するように構成してもよい。
【００８９】
なお、本発明は上記の実施の形態そのままに限定されるものではなく、実施段階ではその要旨を逸脱しない範囲で構成要素を変形して具体化することができる。例えば、上記の実施の形態では、本発明をシートスルー方式のスキャナ部２で原稿Ｇの画像を読み取り、プロッタ部１で原稿Ｇの画像をロール紙（用紙）Ｐに印刷する大判対応型のデジタル複写機に適用した例について説明したが、本発明は、上記実施の形態で説明したデジタル複写機に限らず、原稿の画像の読み取りとプリント出力（用紙への読取画像の描画）を行うあらゆるタイプの画像形成装置に対して広く適用することができる。
【００９０】
また、上記の実施の形態は、プロッタ部１とスキャナ部２とを含む単体の画像形成装置であるデジタル複写機に対して本発明を適用した例であるが、本発明は、プロッタ部１としての機能を独立させたプロッタ装置と、スキャナ部２としての機能を独立させたスキャナ装置とを備え、これらプロッタ装置とスキャナ装置とが通信可能に接続された画像形成システムに対しても有効に適用可能である。
【００９１】
上記のような画像形成システムに本発明を適用した場合、スキャナ装置で生成された読取画像は通信によりプロッタ装置側に伝送されるので、スキャナ装置には読取画像をプロッタ装置に送信する機能（第１の送信手段）を設け、プロッタ装置にはスキャナ装置から読取画像を受信する機能（第２の受信手段）を設ける。
【００９２】
また、システム制御部３（システム制御部３’）に相当する機能をプロッタ装置側に持たせる場合は、プロッタ装置側から原稿Ｇの搬送速度を制御するための制御指令を通信によりスキャナ装置側に伝送する必要があるので、プロッタ装置には原稿Ｇの搬送速度を制御するための制御指令をスキャナ装置に送信する機能（第２の送信手段）を設け、スキャナ装置にはプロッタ装置から制御指令を受信する機能（第１の受信手段）を設けるようにすればよい。
【００９３】
一方、システム制御部３（システム制御部３’）に相当する機能をスキャナ装置側に持たせる場合は、プロッタ装置側から異常を知らせる異常信号を通信によりスキャナ装置側に伝送する必要があるので、プロッタ装置には異常を知らせる異常信号をスキャナ装置に送信する機能（第２の送信手段）を設け、スキャナ装置にはプロッタ装置から異常信号を受信する機能（第１の受信手段）を設けるようにすればよい。
【符号の説明】
【００９４】
１  プロッタ部
２  スキャナ部
３  システム制御部（制御手段）
３３  原稿搬送モータ（原稿搬送手段）
２１０  スキャナ画像処理部（原稿読取処理手段）
２３３，２４４  切り換えスイッチ
３１１  原稿搬送速度設定部
３１２  プロッタ異常判定部
３１３  影響有無判定部（判定手段）
３１４  電源制御部
３１５  原稿搬送速度切り換え部
３１６  比較部（比較手段）
３１７  搬送方向制御部
【先行技術文献】
【特許文献】
【００９５】
【特許文献１】特開２００４−１７０５６０号公報
【図１】
0005803128.tif 000002
【図２】
0005803128.tif 000003
【図３】
0005803128.tif 000004
【図４】
0005803128.tif 000005
【図５】
0005803128.tif 000006
【図６】
0005803128.tif 000007
【図７】
0005803128.tif 000008
【図８】
0005803128.tif 000009
【図９】
0005803128.tif 000010
【図１０】
0005803128.tif 000011
【図１１】
0005803128.tif 000012
【図１２】
0005803128.tif 000013
【図１３】
0005803128.tif 000014